(57)【要約】【課題】特定の機能を付与された光学材料の性能を容易に判断する。【解決手段】特定の波長の光を含む光を発生させる発光部と、発光部が発生させる光の光路に配される第１の試料及び第２の試料を保持する保持部と、第１の試料及び第２の試料のそれぞれを透過した光の少なくとも一部を反射する反射部とを備え、特定の波長の光に対する第１の試料の透過率と、特定の波長の光に対する第２の試料の透過率とが異なる。特定の波長の光は、３８０〜５００ｎｍの波長を有する。【選択図】図１
2014089353.tif 000002
【特許請求の範囲】
【請求項１】
特定の波長の光を含む光を発生させる発光部と、
前記発光部が発生させる光の光路に配される第１の試料及び第２の試料を保持する保持部と、
前記第１の試料及び前記第２の試料のそれぞれを透過した光の少なくとも一部を反射する反射部と、
を備え、
前記特定の波長の光に対する前記第１の試料の透過率と、前記特定の波長の光に対する前記第２の試料の透過率とが異なる、
透過光観測装置。
【請求項２】
前記特定の波長の光は、３８０〜５００ｎｍの波長を有する、
請求項１に記載の透過光観測装置。
【請求項３】
前記反射部は、前記第１の試料及び前記第２の試料のそれぞれを透過した光の光路に配され、前記第１の試料及び前記第２の試料のそれぞれを透過した光の光路を可視化する可視化部を有し、
前記可視化部は、可視光に対して透明な透明材料を含み、
前記透明材料は、その内部に、前記特定の波長の光を散乱させる光散乱部を有する、
請求項１又は請求項２に記載の透過光観測装置。
【請求項４】
前記発光部は、
前記特定の波長の光を含む前記光を、前記第１の試料に向けて照射する第１の光源と、
前記特定の波長の光を含む前記光を、前記第２の試料に向けて照射する第２の光源と、
を有する、
請求項１から請求項３までの何れか一項に記載の透過光観測装置。
【請求項５】
前記第１の試料及び前記第２の試料をさらに備える、
請求項１から請求項４までの何れか一項に記載の透過光観測装置。
【請求項６】
前記第１の試料及び前記第２の試料は、アイウエア用の光学部材である、
請求項１から請求項５までの何れか一項に記載の透過光観測装置。
【発明の詳細な説明】
【技術分野】
【０００１】
本発明は、透過光観測装置に関する。
【背景技術】
【０００２】
特定の波長の光を吸収できるように処理された材料を使用したレンズが提案されている（例えば、特許文献１参照）。また販売スペースに、統一化又はパターン化した色彩・装飾を施したデモレンズを展示して、デモレンズの装飾により顧客を引き付け、レンズの販売を促進することが提案されている（例えば、特許文献２参照）。
［先行技術文献］
［特許文献１］  米国特許第５９７５６９５号明細書
［特許文献２］  特開２０１０−１０２２７８号公報
【発明の概要】
【発明が解決しようとする課題】
【０００３】
しかし、特許文献２に記載された方法では、光学材料を透過した光を観測することができない。そのため、特定の機能を付与された光学材料の性能を容易に判断することができない。
【課題を解決するための手段】
【０００４】
上記課題を解決するために、本発明の第１の態様においては、特定の波長の光を含む光を発生させる発光部と、発光部が発生させる光の光路に配される第１の試料及び第２の試料を保持する保持部と、第１の試料及び第２の試料のそれぞれを透過した光の少なくとも一部を反射する反射部とを備え、特定の波長の光に対する第１の試料の透過率と、特定の波長の光に対する第２の試料の透過率とが異なる透過光観測装置が提供される。
【０００５】
上記透過光観測装置において、特定の波長の光は、３８０〜５００ｎｍの波長を有してもよい。
上記透過光観測装置において、反射部は、第１の試料及び第２の試料のそれぞれを透過した光の光路に配され、第１の試料及び第２の試料のそれぞれを透過した光を可視化する可視化部を有し、可視化部は、可視光に対して透明な透明材料を含み、透明材料は、その内部に、前記特定の波長の光を散乱させる光散乱部を有してもよい。
【０００６】
上記透過光観測装置において、発光部は、特定の波長の光を含む光を、第１の試料に向けて照射する第１の光源と、特定の波長の光を含む光を、第２の試料に向けて照射する第２の光源とを有してもよい。
上記透過光観測装置において、第１の試料及び第２の試料をさらに備えてもよい。
上記透過光観測装置において、第１の試料及び第２の試料は、アイウエア用の光学部材であってもよい。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】第１の実施形態に係る透過光観測装置１００の斜視図を示す。
【図２】第１の実施形態に係る透過光観測装置１００を上方から見た場合の概略図を示す。
【図３】第１の実施形態に係る透過光観測装置１００の側面図を示す。
【図４】第２の実施形態に係る透過光観測装置２００を上方から見た場合の概略図を示す。
【図５】第３の実施形態に係る透過光観測装置３００を上方から見た場合の概略図を示す。
【図６】第４の実施形態に係る透過光観測装置４００を上方から見た場合の概略図を示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００１０】
図１は、第１実施形態に係る透過光観測装置１００の斜視図を示す。また、図２は、透過光観測装置１００を上方から見た場合の概略図を示す。透過光観測装置１００は、発光部１１０、保持部１２０、及び反射部１３０を備える。発光部１１０と反射部１３０との間には、保持部１２０に保持された第１の試料１５０及び第２の試料１６０が配されている。第１の試料１５０と第２の試料１６０とは、特定の波長の光に対する透過率が異なる。
【００１１】
発光部１１０は、特定の波長の光を含む光を発生させる。発光部１１０は、特定の波長の光を含む光を第１の試料１５０に向けて照射する第１の光源１１２と、特定の波長の光を含む光を第２の試料１６０に向けて照射する第２の光源１１４とを有してよい。第１の光源１１２及び第２の光源１１４は、レーザー光、又はコヒーレントな光を照射してもよい。第１の光源１１２及び第２の光源１１４は、ＬＥＤ光源であってもよい。
【００１２】
第１の光源１１２及び第２の光源１１４が照射する特定の波長の光は、３８０〜５００ｎｍの波長を有してよい。特に好ましくは特定の波長の光は、３８０〜４９５ｎｍの波長を有するブルーライトであってよい。第１の光源１１２及び第２の光源１１４は、波長分布及び強度が実質的に同一の光を発生させてよい。波長分布及び強度が実質的に同一とは、一般的な観察者が２つの光を目視により観測した場合に、当該観察者が両者の違いを明確に認識できない場合をいう。
【００１３】
第１の試料１５０は、特定の波長の光（例えば、ブルーライト）の透過率を低減させるように処理された材料を用いて製造されてよい。例えば、第１の試料１５０は、特定の波長の光を吸収し、その他の波長の可視光を透過させる材料を用いて製造される。第１の試料１５０は、透明プラスチック又はガラスの表面に、特定の波長の光を反射又は吸収するコーティングを形成することで製造されてもよい。透明プラスチックとしては、セルローストリアセテート（ＴＡＣ）、ポリカーボネート（ＰＣ）、ノルボルネン系ポリマー等が挙げられる。
【００１４】
第１の試料１５０における第１の範囲の波長を有する光の透過率は、第１の試料１５０における第２の範囲の波長を有する光の透過率よりも小さくてよい。第１の範囲は３８０〜５００ｎｍから選択されてよく、第２の範囲は５００〜７５０ｎｍから選択されてよい。すなわち、第１の試料１５０におけるブルーライトの透過率は、他の可視光の透過率よりも小さくてよい。
【００１５】
第１の試料１５０におけるブルーライトの透過率は、９０％以下であってよく、好ましくは３０％以上８５％以下であり、より好ましくは３５％以上８０％以下であり、さらに好ましくは４０％以上７５％以下である。第１の試料１５０における可視光全体の透過率は、８０％以上であってよく、好ましくは８５％以上であり、より好ましくは９０％以上であり、さらに好ましくは９５％以上である。
【００１６】
第２の試料１６０における、第１の試料１５０において透過率を低減させるように処理された波長の光の透過率は、第１の試料１５０における当該波長の光の透過率よりも大きい。第２の試料１６０の材料としては、一般的なメガネレンズの製造に用いられるガラス、樹脂等を例示することができる。第２の試料１６０には、第１の試料１５０に対して施された処理が施されていなくてもよい。
【００１７】
第２の試料１６０は、開口を有してよい。第２の試料１６０が開口を有する場合に、保持部１２０は、第２の試料１６０の開口が光路上に配されるように、第２の試料１６０の開口の周辺部を保持してよい。第２の試料の開口が光路上に配された場合、特定の波長の光は、空気等の雰囲気を透過することになるが、空気等の雰囲気を透過する場合も第２の試料１６０を透過した場合に含めてよい。第２の試料１６０は、アイウエアのフレームの一部であってもよい。
【００１８】
第１の試料１５０及び第２の試料１６０は、アイウエア用の光学部材であってよい。第１の試料１５０及び第２の試料１６０は、図１に図示されるように、アイウエアのフレーム１４０に支持されるメガネレンズの形態で提供されてよい。なお、概略図である図２においては、フレーム１４０の図示を省略している。
【００１９】
保持部１２０は、第１の光源１１２が照射する光の光路に第１の試料１５０が配され、第２の光源１１４が照射する光の光路に第２の試料１６０が配されるように、第１の試料１５０及び第２の試料１６０を保持する。保持部１２０は、第１の試料１５０及び第２の試料１６０を間接的に保持してもよく、直接的に保持してもよい。第１の試料１５０及び第２の試料１６０がメガネレンズである場合、保持部１２０は、メガネレンズの中心点が光の光路上に配されるように、第１の試料１５０及び第２の試料１６０を保持してよい。
【００２０】
図１に図示されるように、保持部１２０は、アイウエアのフレーム１４０のブリッジを支持することにより、第１の試料１５０及び第２の試料１６０を間接的に保持してよい。フレーム１４０は、右目用のリムに第１の試料１５０を支持するとともに、左目用のリムに第２の試料１６０を支持してよい。
【００２１】
なお、第１の試料１５０及び第２の試料１６０は、アイウエア等の他の部材に支持されない状態のメガネレンズのみの形態で提供されてもよく、平坦な板状等、メガネレンズ以外の形態で提供されてもよい。また、第１の試料１５０及び第２の試料１６０は一体化された形態で提供されもよい。
【００２２】
第１の試料１５０及び第２の試料１６０が、アイウエア等の他の部材に支持されない状態で提供されている場合は、保持部１２０は第１の試料１５０及び第２の試料１６０を直接保持してよい。また、第１の試料１５０及び第２の試料１６０が一体化されておらず分離された状態で提供されている場合は、保持部１２０は、第１の試料１５０を保持する部材、及び第２の試料１６０を保持する部材の少なくとも２つの部材を含んでよい。
【００２３】
反射部１３０は、第１の光源１１２から照射されて第１の試料１５０を透過した光、及び第２の光源１１４から照射されて第２の試料１６０を透過した光の少なくとも一部を反射する第１の試料１５０における特定の波長の光の透過率が、第２の試料１６０における特定の波長の光の透過率よりも小さい場合、反射部１３０は、第１の光源１１２の照射する光の光路に対応する位置の周辺において、暗くて小さな円状又は楕円状の反射光を反射する。一方、反射部１３０は、第２の光源１１４の照射する光の光路に対応する位置の周辺において、明るくて大きな円状の反射光を反射する。
【００２４】
これにより、第１の試料１５０及び第２の試料１６０のそれぞれを透過した光を可視化することができる。その結果、観察者は、第１の試料１５０と第２の試料１６０との光学性能の差を容易に判断することができる。光学性能としては、特定の光の透過率を例示することができる。
【００２５】
反射部１３０は、特定の波長の光の一部を吸収してよい。特定の波長の光の一部が吸収されることにより、第１の光源１１２及び第２の光源１１４の照射した光が観察者の目に直接照射されることを防止することができる。例えば、反射部１３０の少なくとも発光部１１０に対向する位置に、特定の波長の光の一部を吸収する部材が配される。特定の波長の光の一部を吸収する部材は、紙、布などであってよい。反射部１３０は、表面にサテン生地が貼り付けられたプラスチック材料であってよい。
【００２６】
反射部１３０は、光の色を変換する色変換材料を含んでよい。色変換材料は、ブルーライトを吸収して、波長の変換された光を放出してよい。色変換材料は、蛍光材料であってよい。色変換材料は、少なくとも発光部１１０に対向する位置に配されてよい。これにより、観察者は、第１の光源１１２及び第２の光源１１４の照射した光とは異なる波長の光を観察することにより、第１の試料１５０と第２の試料１６０との光学性能を判断することができる。また、色変換材料を適切に選択することにより、観察者は、第１の試料１５０と第２の試料１６０との光学性能の差をより明確に観察することができる。
【００２７】
反射部１３０は、特定の波長の光を吸収して変形する材料を含んでよい。上記の材料は、少なくとも発光部１１０に対向する位置に配されてよい。これにより、第１の試料１５０及び第２の試料１６０のそれぞれを透過した光を可視化することができる。反射部１３０は、特定の波長の光を散乱させる部材を含んでよい、上記の材料は、少なくとも発光部１１０に対向する位置に配されてよい。これにより、観察者は、第１の試料１５０と第２の試料１６０との光学性能の差をより明確に観察することができる。
【００２８】
反射部１３０は、第１の光源１１２及び第２の光源１１４の各々が照射する光の光路に対して垂直に配されなくてよい。第１の光源１１２及び第２の光源１１４の各々が照射する光の光路と反射部１３０とがなす角は鈍角であってよい。反射部１３０において光が照射される領域は、第１の光源１１２及び第２の光源１１４の各々が照射する光の反射部１３０への入射角に応じて変化する。そのため、第１の光源１１２及び第２の光源１１４の各々が照射する光の光路と反射部１３０とがなす角が鈍角である場合、光路と反射部１３０とがなす角が直角又は鋭角である場合と比較して、反射部１３０において光が照射される領域の大きさが大きくなる。これにより観察者は、第１の試料１５０と第２の試料１６０との光学性能の差をより明確に観察することができる。
【００２９】
透過光観測装置１００は、第１の光源１１２が発生させる光の光路から第１の試料１５０が外れるように、第１の光源１１２と第１の試料１５０とを相対移動させる構成をさらに備えてよい。例えば、発光部１１０が、第１の光源１１２を移動させる光源移動部を有してもよく、保持部１２０が、第１の試料１５０及び第２の試料１６０の少なくとも一方を移動させる試料移動部を有してよい。
【００３０】
第１の光源１１２と第１の試料１５０とを相対移動させることにより、第１の光源１１２が発生させた光の光路に第１の試料１５０が配された場合の反射光と、光路から第１の試料１５０が外れた場合の反射光との違いを容易に確認することができる。第１の光源１１２又は第１の試料１５０の移動は、第１の光源１１２が照射した光の光路から第１の試料１５０が外れた場合の反射光を確認することができればよく、直線移動であってもよく、回転を伴う移動であってもよい。第１の光源１１２及び第１の試料１５０の少なくとも一方は、モーター等の駆動機構との組み合わせにより、自動的に移動するように構成されてもよく、レバー等との組み合わせにより、マニュアル操作で移動するように構成されてもよい。
【００３１】
図３は、透過光観測装置１００の側面図を示す。図１及び図３に図示されるように、透過光観測装置１００は、発光部１１０、保持部１２０、及び反射部１３０の各々を格納するケース１７０をさらに備えてよい。
【００３２】
ケース１７０は、底面１７２と、載置面１７４と、背面１７６とを有する。載置面１７４は、発光部１１０から反射部１３０に向かうにつれ底面１７２から離れるように底面１７２に対して傾斜して設けられてよい。背面１７６は、載置面１７４に対して略垂直に設けられてよい。
【００３３】
これにより、透過光観測装置１００は、底面１７２が下側になるように載置して用いることもでき、背面１７６が下側になるように載置して用いることもできる。底面１７２が下側になるように載置した場合には、背面１７６が下側になるように載置した場合と比較して、安定して、透過光観測装置１００を用いることができる。背面１７６が下側になるように載置した場合には、底面１７２が下側になるように載置した場合と比較して、狭い場所において、透過光観測装置１００を用いることができる。
【００３４】
なお、図１から３の何れの図面においても、底面１７２を載置面として透過光観測装置１００を上方から見た状態で、第１の光源１１２と第２の光源１１４とが並び、第１の試料１５０と第２の試料１６０とが並ぶ形態を図示している。しかしながら、底面１７２を載置面とした場合において、上下方向に、第１の光源１１２と第２の光源１１４とが並び、第１の試料１５０と第２の試料１６０とが並ぶ形態であってもよい。
【００３５】
図４は、第２の実施形態に係る透過光観測装置２００を上方から見た場合の概略図を示す。透過光観測装置２００は、単一の光源２１２を有する発光部２１０を備える点で、透過光観測装置１００と相違する。単一の光源２１２を用いて第１の試料１５０及び第２の試料１６０の両方に光を照射できるように、光源２１２と、第１の試料１５０及び第２の試料１６０とが、透過光観測装置の背面と略平行な面内において相対移動するように透過光観測装置２００は構成される。その他の点において、透過光観測装置２００の各部は、透過光観測装置１００の各部と同様の構成を有してよい。
【００３６】
光源２１２は、少なくとも２つの位置で照射できるように直線移動されてよい。第１の位置は特定の波長の光を含む光を第１の試料１５０に向けて照射できる位置であり、第２の位置は特定の波長の光を含む光を第２の試料１６０に向けて照射できる位置であってよい。
【００３７】
光源２１２は、第１の位置と第２の位置との間を移動しているときも特定の波長の光を含む光を照射し続けてよい。特定の波長の光を含む光を連続して照射することで、第１の試料１５０を透過させたときに、第１の試料１５０を透過させないときと比較して、光の透過量が少なくなることをより確認しやすくなる。なお、光源２１２が移動される場合には、保持部１２０は移動しなくてもよく、固定されてよい。
【００３８】
図５は、第３の実施形態に係る透過光観測装置３００を上方から見た場合の概略図を示す。透過光観測装置３００は、単一の光源３１２を有する発光部３１０を備える点で、透過光観測装置１００と相違する。透過光観測装置３００は、単一の光源３１２を用いて第１の試料１５０及び第２の試料１６０の両方に光を照射できるように、光源３１２と、第１の試料１５０及び第２の試料１６０との少なくとも一方が、回転移動するように構成される点で、透過光観測装置２００と相違する。その他の点において、透過光観測装置２００の各部は、透過光観測装置１００又は透過光観測装置２００の各部と同様の構成を有してよい。
【００３９】
光源３１２は、反射部１３０と対向する一方の端部から光を照射するとともに、他方の端部が固定されて、他方の端部を中心として一方の端部が回転移動するように構成されてよい。光源３１２は、少なくとも２つの位置で照射できるように回転移動されてよい。第１の位置は特定の波長の光を含む光を第１の試料１５０に向けて照射できる位置であり、第２の位置は特定の波長の光を含む光を第２の試料１６０に向けて照射できる位置であってよい。
【００４０】
光源３１２は、一方の端部が第１の位置と第２の位置との間を移動しているときも特定の波長の光を含む光を照射し続けてよい。特定の波長の光を含む光を連続して照射することで、第１の試料１５０を透過させたときに、第１の試料１５０を透過させないときと比較して、光の透過量が少なくなることをより確認しやすくなる。
【００４１】
なお、第２の実施形態及び第３の実施形態の両方において、単一の光源が第１の試料１５０及び第２の試料１６０の両方を照射できるように、単一の光源と、第１の試料１５０及び第２の試料１６０との少なくとも一方が移動するように構成されていればよい。例えば、単一の光源が固定されている場合であっても、保持部が移動することにより、第１の試料１５０及び第２の試料１６０を移動させることができる。また、単一の光源は、保持部が移動している間も特定の波長の光を含む光を照射し続けてよい。単一の光源及び保持部の少なくとも一方は、モーター等の駆動機構との組み合わせにより、自動的に移動されてもよく、レバー等との組み合わせにより、マニュアル操作で移動されてよい。
【００４２】
図６は、第４の実施形態に係る透過光観測装置４００を上方から見た場合の概略図を示す。透過光観測装置４００は、反射部４３０が可視化部４３２を備える点で、透過光観測装置１００、透過光観測装置２００及び透過光観測装置３００と相違する。その他の点において、透過光観測装置４００の各部は、透過光観測装置１００、透過光観測装置２００又は透過光観測装置３００の各部と同様の構成を有してよい。
【００４３】
可視化部４３２は、透明材料を含む。透明材料は、可視光に対して透明であり、特定の波長の光を散乱させる光散乱部を含む。光散乱部は、透明材料の内部に分散して配される。したがって、特定の波長の光を含む光が照射されていないとき、可視化部４３２は透明な部材に視認される。光散乱部は、光の色を変換する色変換材料を含んでよい。色変換材料は、ブルーライトを吸収して、波長の変換された光を放出してよい。色変換材料は、蛍光材料であってよい。
【００４４】
可視化部４３２は、第１の試料１５０及び第２の試料１６０のそれぞれの光の進行方向の後段に配されてよい。可視化部４３２に含まれる透明材料は、特定の波長の光を散乱させる光散乱部を含むので、特定の波長の光が第１の試料１５０及び第２の試料１６０を透過した光の光路を可視化することができる。
【００４５】
第１の試料１５０における特定の波長の光の透過率が、第２の試料１６０における特定の波長の光の透過率よりも小さい場合、可視化部４３２における第２の試料１６０を透過した光の光路は、第１の試料１５０を透過した光の光路と比較して、より明確に視認される。これにより、観察者は、第１の試料１５０と第２の試料１６０との光学性能の差を容易に判断することができる。
【００４６】
ブルーライトは、他の可視光と比較して散乱を起こしやすい性質を有する。したがって、特定の波長の光がブルーライトである場合は、光散乱部としての微粒子が添加された透明材料を用意することにより、可視化部４３２において特定の波長の光の光路を確認することができる。
【００４７】
透明材料は、気体、固体、液体の何れであってもよい。透明材料は、ゲル状であってもよい。透明材料は、完全に透明でなくてもよい。気体の透明材料として、気化したドライアイスを用いてよい。また、液体の透明材料として、微粒子が添加された水、油等を用いてよい。気体及び液体の透明材料を用いる場合、可視化部４３２は、透明材料としての気体又は液体が入れられる容器であってよい。
【００４８】
固体の透明材料として、微粒子が分散して添加された樹脂、微粒子が分散して添加されたガラス、エアロゲルを用いてよい。固体の透明材料を用いる場合、可視化部４３２と透明材料とは一体に形成されてよい。また、光散乱部は、微粒子の添加以外にも、透明材料内に微細なキズを形成すること等によって実現されてもよい。
【００４９】
可視化部４３２は、発光部１１０と対向する面とは反対側の面に、可視化部４３２の内部を透過した光の少なくとも一部を吸収する光吸収部材を有してよい。吸収部材は、紙、布などであってよい。光吸収部材が特定の波長の光の一部を吸収することにより、可視化部４３２の内部で光が乱反射することを防止することができる。
【００５０】
なお、第４の実施形態においては、第１の実施形態と同様の発光部１１０を有する形態を説明しているが、第２の実施形態及び第３の実施形態のように発光部が１つの光源のみを有する形態に、可視化部を有する反射部を適用してよい。
【００５１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。その様な変更または改良を加えた形態も本発明の技術的範囲に含まれ得ることが、特許請求の範囲の記載から明らかである。
【００５２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５３】
１００  透過光観測装置、１１０  発光部、１１２  第１の光源、１１４  第２の光源 、１２０  保持部、１３０  反射部、１４０  フレーム、１５０  第１の試料、１６０  第２の試料、１７０  ケース、１７２  底面、１７４  載置面、１７６  背面、２００  透過光観測装置、２１０  発光部、２１２  光源、３００  透過光観測装置、３１０  発光部、３１２  光源、４００  透過光観測装置、４３０  反射部、４３２  可視化部
【図１】
2014089353.tif 000003
【図２】
2014089353.tif 000004
【図３】
2014089353.tif 000005
【図４】
2014089353.tif 000006
【図５】
2014089353.tif 000007
【図６】
2014089353.tif 000008